(57)【特許請求の範囲】
【請求項１】
容器の口部内壁に沿って配置される内側壁を有し、この内側壁に一体連結する外周壁を容器の口部外側に着脱自在に係合させて固定、保持するベースと、
上記ベースに着脱自在に連係し、該内側壁を、添加剤としての内容物を装填した内容器体とともにその内側に収納するカバー体とを備えた二剤混合キャップであって、
前記内側壁の下側開口に嵌合させて該下側開口を密封保持する落し蓋を設け、この落し蓋の直上に、内容器体の下側壁を突き破ってその内部に装填した内容物を開口を通して落下させるカッターを、該内側壁の内壁に連結部を介して一体連結し、
前記連結部に、その表裏を貫く貫通孔を設け、
前記カバー体は、ベースに着脱自在に係止する係止部を有し、カバー体からの引きちぎりとともに該カバー体の該容器へ向けた押し込みにて、内容器体の収納に係わる空間を短縮してカッターによる突き破りを可能とするバージンバンドと、前記貫通孔に挿通されて、該カッターによる内容器体の突き破りに際して前記落し蓋を押圧して内側壁の下端開口での嵌合を解除する脚部からなり、
前記カッターは、その中央部を最も尖らせた山形状をなす複数の刃部と、該刃部の相互間に形成されて内容器体内の内容物を通過させる開口とからなることを特徴とする二剤混合キャップ。
【請求項２】
前記ベースは、その下端で容器の口部外壁に係止してその取り外しを不可とするが、該ベースからの分離により容器の口部外壁における係止を解除してその取り外しを可とするバージンバンドを有する、請求項1に記載の二剤混合キャップ。
【発明の詳細な説明】
【技術分野】
【０００１】
本発明は、二剤混合キャップに関するものであり、該キャップの構造の簡素化を図り効率的な組み立てを実現するとともに、単純な操作で二剤を確実に混合しようとするものである。
【背景技術】
【０００２】
キャップの裏側に添加剤を入れておく収納部を設け、容器を開封する際に、キャップを回転させることで収納部を開放してその中に収納してある添加剤を容器内の内容物に添加する二剤混合キャップは、お茶や炭酸飲料等への適用が図られており、その需要は今後益々増大する傾向にあり、この点に関しては、キャップの回転により、収納部に取り付けた底蓋を、容器の口部に配置した支持筒部に引っ掛けて取り外すようにしたものが知られている（例えば特許文献1参照）。
【特許文献１】特許第3281730号明細書
【０００３】
ところで、従来の二剤混合キャップは、添加剤としての内容物をキャップの裏側に設けた収納部に充填する工程が不可欠なことから効率的な組み立てが行なえない不具合があり、また、二剤の混合をより単純な操作で行えることが求められるようになってきており、未だ改善の余地が残されていた。
【発明の開示】
【発明が解決しようとする課題】
【０００４】
本発明の課題は、混合操作の簡易化を図るとともに、効率的な組み立てが行なえる二剤混合キャップを提案するところにある。
【課題を解決するための手段】
【０００５】
本発明は、容器の口部内壁に沿って配置される内側壁を有し、この内側壁に一体連結する外周壁を容器の口部外側に着脱自在に係合させて固定、保持するベースと、
上記ベースに着脱自在に連係し、該内側壁を、添加剤としての内容物を装填した内容器体とともにその内側に収納するカバー体とを備えた二剤混合キャップであって、
前記内側壁の下側開口に嵌合させて該下側開口を密封保持する落し蓋を設け、この落し蓋の直上に、内容器体の下側壁を突き破ってその内部に装填した内容物を開口を通して落下させるカッターを、該内側壁の内壁に連結部を介して一体連結し、
前記連結部に、その表裏を貫く貫通孔を設け、
前記カバー体は、ベースに着脱自在に係止する係止部を有し、カバー体からの引きちぎりとともに該カバー体の該容器へ向けた押し込みにて、内容器体の収納に係わる空間を短縮してカッターによる突き破りを可能とするバージンバンドと、前記貫通孔に挿通されて、該カッターによる内容器体の突き破りに際して前記落し蓋を押圧して内側壁の下端開口での嵌合を解除する脚部からなり、
前記カッターは、その中央部を最も尖らせた山形状をなす複数の刃部と、該刃部の相互間に形成されて内容器体内の内容物を通過させる開口とからなることを特徴とする二剤混合キャップである。
【０００６】
上記の構成になる二剤混合キャップにおいて、前記ベースは、その下端で容器の口部外壁に係止してその取り外しを不可とするが、該ベースからの分離により容器の口部外壁における係止を解除してその取り外しを可とするバージンバンドを設けるのが好ましい。  
【発明の効果】
【０００７】
カバー体とベースとの相互間に設けられたバージンバンドを引きちぎると、該カバー体を容器に向けて押し込むことが可能となり、内容器体の収納に係わる空間が短縮される。該カバー体の押し込み動作を実行することにより内容器体の下側壁がカッターにより突き破られ、落し蓋が脚部により押圧されて内側壁の下端開口から外れて、内容器体内の内容物が容器内へと落下することとなる。
【０００８】
容器内に添加する内容物は、予め内容器体に収納されているので、キャップの組み立て工程にて内容物を充填する作業が不要で、効率的な組み込みが可能となる。
【発明を実施するための最良の形態】
【０００９】
以下、図面を用いて本発明をより具体的に説明する。
図1は本発明に従う二剤混合容器の実施の形態を示した図であり、図2はその分解状態を示した外観斜視図である。
【００１０】
図における1は容器、2は容器1の口部外側にねじあるいはアンダーカットの如き係合手段にて着脱自在に固定、保持されるベースである。このベース2は容器1の口部1aの内壁に沿って配置される内側壁2aと、この内側壁2aの外側で一体連結するとともにその相互間に容器1の口部1aを挿入する下向きに開放された溝部を形成する外周壁2bからなる。
【００１１】
また、3は内側壁2aの下側開口2a１にヒンジｉを介して吊り下げ可能に係止され、該下側開口2a１を密閉保持する落し蓋、4は落し蓋3の直上で、内側壁2aの内壁に連結部ｔを介して一体連結するカッターである。カッター4は上向きの刃部4aを4本組み合わせてその中央部を最も尖らせた山形状をなすものとして示してあり、刃部4aの相互間には内容器体P内の内容物を通過させるための開口4b（図2参照）が設けられている。
【００１２】
また、5はべース2に着脱自在に連係し、該内側壁2aを、添加剤としての内容物を装填した内容器体Pとともにその内側に収納するカバー体である。このカバー体5には該内容器体Pを収納する内部空間を形成する内筒5aが設けられている。ここに、内容器体Pは、図3にその外観を示すように、フランジ部fに薄肉シートSを貼付することによって底部開口P′が密閉状態に保たれている。
【００１３】
また、6はカバー体5の開口端に引きちぎり可能に連結され、該カバー体5をベース2の係止リング2′に着脱自在に係止するバージンバンドである。このバージンバンド6はアンダーカット等からなる係止部6aを有しており、ラインLに沿って引きちぎることができるようになっており、これによりカバー体5の高さ方向における寸法hを寸法h′まで短くすることができるようになっている（つまり内容器体Pの収納に係わる空間の高さ方向の寸法が短縮されることになる。図1参照）。
【００１４】
また、7はカバー体5の内筒5aの下端面に一体的に設けられた脚部である。この脚部7は、連結部ｔに設けた貫通孔ｋに挿通されて、カバー体5が寸法h′となった状態で初めて落し蓋3に当接させることができるもので、この脚部7で落し蓋3を押圧して内側壁2aとの嵌合を解除する。
【００１５】
そして8はベース2と容器1の口部1aとを相互につなぐバージンバンドである。このバージンバンド8は、ベース2の下端で容器1の口部外壁に係止されていて、それを引きちぎることによりベース2を容器1の口部1aから取り外すことがきるようになっている。  
【００１６】
本発明は、基本的には上記のベース2と、カバー体5及び内容器体Pの組み合わせによって二剤混合キャップを構成するものであり、内容器体P内の内容物を容器1内の内容物に添加するには、バージンバンド6を引きちぎりカバー体5を図4の矢印に従って押し込めばよい。
【００１７】
カバー体5を押し込むと、内容器体Pの底部開口P′を密封する薄肉シートSはカッター4によって突き破られ、さらに落し蓋3が脚部7によって押圧され、ヒンジｉを起点に吊り下げ状態となる一方、添加すべき内容物はカッター4の開口4bを経て容器内へと落下して二剤が混合される。ここに、落し蓋3は、薄肉シートSが突き破られる前、後、あるいは同時に吊り下げ状態とすることができ、そのタイミングは脚部7の寸法により任意に変更することができる。
【００１８】
上記の構成になる二剤混合キャップは、バージンバンド6の取り外しと、カバー体5の押し込み操作のみで内容器体P内の内容物を容器1内の内容物に添加することが可能で、混合操作が極めて簡単であり、しかも、添加すべき内容物は予め内容器体P内に装填されていることから、キャップの組み立てに際して収納部分に内容物を装填する煩雑な作業（とくに添加すべき内容物が粉体である場合には、計量が必要であるばかりでなく、装填する際に飛び散った粉体を除去するクリーニング等が必要となる）が不要であり効率的な組み込みが行なえる。
【００１９】
二剤混合キャップの各構成部材は合成樹脂を適用することが可能であり、材質についてはとくに限定されない。内容器体Pについては、積層フィルムをシート成形することによって作製することができるが、その成形法についても限定はされない。
【００２０】
落し蓋3には、図1に示す如く、内側壁2aの下端開口2a１でその端部を嵌合させる溝部3aが設けられており、脚部7による押圧に際してその溝部3aの底壁に形成した薄肉部3a′を起点に破断させることにより落し蓋3の確実な吊り下げが可能となる。
【００２１】
また、カッター4は内側壁2aの内壁に一体連結（一体成形）した構造のものについて示したが、内側壁2aとは別体としてもよいし、落し蓋3と一体に形成してもよく、この点については適宜変更が可能である。
【００２２】
カッター4の形状は図示したもの以外、例えば上端部を斜めに切断した円筒状あるいは上端部を鋸刃状に形成した円筒状等、種々の形状のものを採用することができる。
【００２３】
落し蓋3については、単にその外縁が内側壁2aの内面に圧入される形式のものでもよく、ヒンジｈを設けず、落し蓋3そのものを容器内に落下させるようにしてもよい。
【産業上の利用可能性】
【００２４】
二剤を混合する操作が非常に簡単であり、しかも、効率的な組み込みを行なうことができる二剤混合キャップが提供できる。
【図面の簡単な説明】
【００２５】
【図１】本発明に従う二剤混合キャップの実施の形態を示した図である。
【図２】図1に示した二剤混合キャップを分解状態で示した外観斜視図である。
【図３】内容器体の外観斜視図である。
【図４】図1に示した二剤混合キャップの混合状況を示した図である。
【符号の説明】
【００２６】
1  容器
1a  口部
2  ベース
2a  内側壁
2b  外周壁
3  落し蓋
3a  溝部
3a′薄肉部
4  カッター
4a  刃部
4b  開口
5  カバー体
5a  内筒
6  バージンバンド
6a  係止部
7  脚部
8  バージンリング
P  内容器体
P′底部開口
f  フランジ
S  薄肉シート
【図２】
0004837433.tif 000002
【図３】
0004837433.tif 000003
【図１】
0004837433.tif 000004
【図４】
0004837433.tif 000005